(57)【要約】【課題】温水を腸内に注入することにより、穏やかに無理なく洗腸ができ、特に家庭や病院、介護施設等において手軽に、短時間で排便と腸洗浄ができる使用勝手の良い電動式腸洗浄器を提供することを目的とする。【解決手段】本体ケース２と、本体ケース２の内部に設けられたポンプＰと、ポンプＰを駆動するモータＭと、モータＭの電源部Ｂと、モータＭから貯水容器６へ向かって垂下する吸水チューブ４と、ポンプＰにより汲み上げられた温水を肛門に挿着する温水注出用のノズル１０へ給送するための導水チューブ５とを備えた。また本体ケース２に、ノズル１０への温水給送量を選択するための温水給送時間設定用のタイマー８を備えた電動式腸洗浄器。【選択図】図２
2017012472.tif 000002
【特許請求の範囲】
【請求項１】
本体ケースと、本体ケースの内部に設けられたポンプと、このポンプを駆動するモータと、モータの電源部と、モータから貯水容器へ向かって垂下する吸水チューブと、ポンプにより汲み上げられた温水を肛門に挿着する温水吐出用のノズルへ給送するための導水チューブとを備えたことを特徴とする電動式洗浄器。
【請求項２】
前記本体ケースに、前記ノズルへの温水給送量を選択するための温水給送時間設定用のタイマーを備えたことを特徴とする請求項１に記載の電動式腸洗浄器。
【請求項３】
前記ノズルが、肛門への挿入部と、挿入部の下部に形成されて肛門への挿入深度を規定するつば部と、つば部の下部に設けられて前記導水チューブに連結される連結部とを有し、前記挿入部の上端に前記挿入部の内部に供給された温水を直腸内に向って吐出する吐出孔を形成するとともに、前記挿入部の下部にあって前記つば部の直上に肛門括約筋によって抱き込まれる絞り部を形成したことを特徴とする請求項１又は２に記載の電動式腸洗浄器。
【発明の詳細な説明】
【技術分野】
【０００１】
本発明は、手軽にまた短時間に便秘解消や腸洗浄を行う事ができる使用勝手の良い電動式腸洗浄器に関するものである。
【背景技術】
【０００２】
従来、便秘解消や腸洗浄の手段として浣腸や下剤を使用することが知られている。しかしながら、従来の方法では、長く使用すると、薬剤や、浣腸の効果が得られなくなり習慣性の弊害が出やすいという問題があった。
【０００３】
また手動ポンプを用いて温水を腸内に送り込む腸洗浄器も知られていた。また、温水を貯溜した容器を高位置に設置し、この高位置の位置圧力で温水を肛門から注入する腸洗浄器も知られていた。しかしながら、このような従来手段では準備が大変で、また操作も複雑で使用勝手が悪いという問題点があった。
【０００４】
また、電動式ポンプを備えた大型の腸洗浄器も知られているが、この種のものは構造が複雑で、高価であり、更にかなりの重量を有し、業務用として使用されるものが多く、家庭等において手軽に使用しづらく、また旅行等に手軽に携行しづらいものであった。
【先行技術文献】
【特許文献】
【０００５】
【特許文献１】実用新案登録第３０７５５５５号公報
【発明の概要】
【発明が解決しようとする課題】
【０００６】
そこで本発明は、温水を腸内に注入することにより、穏やかに無理なく洗腸ができ、特に家庭や病院、介護施設等において手軽に、短時間で排便と腸洗浄ができる使用勝手の良い電動式腸洗浄器を提供することを目的とする。
【課題を解決するための手段】
【０００７】
本発明の電動式腸洗浄器は、本体ケースと、本体ケースの内部に設けられたポンプと、このポンプを駆動するモータと、モータの電源部と、モータから貯水容器へ向かって垂下する吸水チューブと、ポンプにより汲み上げられた温水を肛門に挿着する温水吐出用のノズルへ給送するための導水チューブとを備えたものである。
【０００８】
また本発明の電動式腸洗浄器は、前記本体ケースに、前記ノズルへの温水給送量を選択するための温水給送時間設定用のタイマーを備えたものである。
【０００９】
また本発明の電動式腸洗浄器は、前記ノズルが、肛門への挿入部と、挿入部の下部に形成されて肛門への挿入深度を規定するつば部と、つば部の下部に設けられて前記導水チューブに連結される連結部とを有し、前記挿入部の上端に前記挿入部の内部に供給された温水を直腸内に向って吐出する吐出孔を形成するとともに、前記挿入部の下部にあって前記つば部の直上に肛門括約筋によって抱き込まれる絞り部を形成したものである。
【発明の効果】
【００１０】
本発明によれば、特に介護施設、病院、家庭あるいは旅行先（携行先）等において、手近に存在するペットボトルや洗面器等を貯水容器として利用し、手軽かつ簡便に腸洗浄を実行することができる。
【図面の簡単な説明】
【００１１】
【図１】本発明の一実施の形態における電動式腸洗浄器の斜視図
【図２】本発明の一実施の形態における電動式腸洗浄器の断面図
【図３】本発明の一実施の形態における電動式腸洗浄器のノズルの一部切欠正面図
【図４】本発明の一実施の形態における電動式腸洗浄器のノズルの使用状態図
【発明を実施するための形態】
【００１２】
図１及び図２において、電動式腸洗浄器（以下、単に腸洗浄器という）は、本体ケース２を主体としている。本体ケース２の下部に設けられた底板３上には、ポンプＰ、ポンプＰを駆動するモータＭ、モータＭの電源部としての交換式の乾電池Ｂが配設されている。
【００１３】
ポンプＰから吸水チューブ４が垂下している。またポンプＰには、ポンプＰにより汲み上げられた温水を温水吐出用のノズル１０へ給送するための導水チューブ５が接続されている。吸水チューブ４の下端部は、家庭等に手近にあるペットボトル、洗面器等の貯水容器６に突入している。貯水容器６には適温（４０〜４２℃程度）の温水が適量（例えば５００〜１０００ｃｃ程度）貯溜されている。
【００１４】
本体ケース２の上面等の適所には、押圧式等の電源スイッチ７と、ダイヤル式のタイマー８が設けられている。本例では、タイマー８は、１５秒、３０秒、４５秒、６０秒の任意秒数に設定できる。タイマー８は、モータＭとポンプＰの駆動時間を設定する温水給送時間設定用のタイマーであり、この設定値（温水給送時間の長さ）によって吸水チューブ４から汲み上げられてノズル１０から腸内へ送り込まれる温水量が選択決定される。タイマーとしては、デジタル型のタイマーも適用できる。
【００１５】
次に、図３及び図４を参照してノズル１０を説明する。ノズル１０は、肛門に挿入される筒状の挿入部１０ａと、挿入部１０ａの下部に設けられた円板状のつば部１０ｂと、つば部１０ｂの下部に設けられた筒状の連結部１０ｃから成っている。連結部１０ｃは、導水チューブ５の先端部に交換自在に装着されている。つば部１０ｂは、挿入部１０ａの肛門への挿入深度を規定するストッパーとなっている。
【００１６】
挿入部１０ａの上端は、肛門壁等を傷つけないよう、半球状のエッジのない滑らかな面となっている。
【００１７】
挿入部１０ａの内部には、通水路１０ｅが形成されている。通水路１０ｅには連結部１０ｃを通して導水チューブ５から温水が送られ、上端の吐出孔１０ｆから吐出される。
【００１８】
つば部１０ｂの直上における挿入部１０ａの下部は、下方へ向ってテーパ状に縮径する絞り部（縮径部）１０ｇとなっており、この絞り部１０ｇの下部につば部１０ｂが設けられている。ノズル１０の挿入部１０ａは、つば部１０ｂが肛門の下端部に当接するまで挿入する。完全に挿入した状態で、絞り部１０ｇは肛門括約筋にしっかり抱き込まれる。この状態で、ノズル１０から手を離してもノズル１０は肛門から脱落しないので、使用者は両手を自由に使用して電源スイッチ７やタイマー８の操作等を自由に行うことができる。
【００１９】
この腸洗浄器１は、上記のような構成より成り、次にその使用方法を説明する。まず、図２に示すように貯水容器６に適温の温水を適量貯溜する。次に吸水チューブ４の下端部を貯水容器６に挿入するとともに、ノズル１０を肛門に挿着する。上述したように、ノズル１０を肛門に挿着した状態で使用者は両手を自由に使用することが可能なので、タイマー８で注水時間を設定し、電源スイッチ７を入れる。するとモータＭとポンプＰは駆動、ノズル１０の上端の吐出孔１０ｆから腸内に温水が吐出され、腸洗浄が行われるとともに、タイマー８で設定した時間が経過すると、ノズル１０を肛門から取り外す。すると腸内を洗浄した温水は肛門から吐出と共に排便され、腸洗浄は終了する。腸内に送り込む温水の量は、便秘の状態等に応じて加減する。勿論、上記した腸洗浄は、腸内を十分に洗浄するために複数回繰り返しても良い。
【産業上の利用可能性】
【００２０】
本発明は、介護施設、病院、家庭、旅行先等において、手近にあるペットボトルや洗面器等を貯水容器として利用しながら、手軽に使用勝手よく腸洗浄を行うことができる。
【符号の説明】
【００２１】
１  電動式腸洗浄器
２  本体ケース
４  吸水チューブ
５  導水チューブ
６  貯水容器
７  電源スイッチ
８  タイマー
１０  ノズル
１０ａ  挿入部
１０ｂ  つば部
１０ｃ  連結部
１０ｅ  通水路
１０ｆ  吐出孔
１０ｇ  絞り部
Ｐ  ポンプ
Ｍ  モータ
Ｂ  電源部
【図１】
2017012472.tif 000003
【図２】
2017012472.tif 000004
【図３】
2017012472.tif 000005
【図４】
2017012472.tif 000006